(57)【要約】 【課題】  組付け形態が異なるものを確実に識別できるようにする。【解決手段】  ハウジング１０（ベース部材）に、ハウジング１０に対するレバー２０（組付け部材）の複数の組付け形態と対応する複数の刻印２４ａ，２４ｂ（識別子）を付し、ハウジング１０に、レバー２０が組み付けられた状態において、その組付け形態と対応する刻印２４ａ，２４ｂのみを露出させ、且つ他の組付け形態と対応する刻印２４ａ，２４ｂを覆い隠す選択的表示手段（覆い部１６Ｆ，１６Ｒ及び窓孔１７）を設けた。組付け形態に応じて、対応する刻印２４ａ，２４ｂのみが表示されるので、製品を容易且つ確実に識別できる。【選択図】  図１
2006302761.tif 000002
【特許請求の範囲】
【請求項１】
ベース部材と、
前記ベース部材に対し複数の異なる形態での組み付けを可能とされた組付け部材とを備えてなる組立体であって、
前記ベース部材と前記組付け部材のうち一方の部材に、前記ベース部材に対する前記組付け部材の複数の組付け形態と対応する複数の識別子を付し、
前記ベース部材と前記組付け部材のうち他方の部材に、前記組付け部材が組み付けられた状態において、その組付け形態と対応する前記識別子のみを露出させ、且つ他の組付け形態と対応する前記識別子を覆い隠す選択的表示手段を設けたことを特徴とする組立体。
【請求項２】
前記選択的表示手段は、
組付け状態において前記一方の部材を覆い隠す覆い部と、
前記覆い部に設けられ、前記組付け部材が組付けられた状態において、その組付け形態と対応する前記識別子のみを外面側に露出させる窓孔とを備えて構成されていることを特徴とする請求項１記載の組立体。
【発明の詳細な説明】
【技術分野】
【０００１】
本発明は、ベース部材と、ベース部材に対し複数の異なる形態での組み付けを可能とされた組付け部材とを備えてなる組立体に関するものである。
【背景技術】
【０００２】
特許文献１にはハウジングにレバーを組み付けて構成されるレバー式コネクタについて開示されているが、レバー式コネクタの一例として、ハウジングに対しレバーを正逆いずれの向きでも取り付けられるようにしたものがある。
【０００３】
このようにベース部材（ハウジング）に対して１つの組付け部材（レバー）を異なる複数の形態で組み付け可能とした組立体では、組付け部材の組付け形態が異なると、製品としては別のものとして取り扱われる場合がある。このような場合に製品を識別する手段として、従来は、１種類のベース部材に複数の品番を刻印する方法がとられていた。
【特許文献１】特開２００１−６８２１２
【発明の開示】
【発明が解決しようとする課題】
【０００４】
しかし、上記のように１つのベース部材に複数の品番を刻印したのでは、製品と品番との対応関係が不明確であり、識別することが困難若しくは識別が不能であった。  
本発明は上記のような事情に基づいて完成されたものであって、組付け形態が異なるものを確実に識別できるようにすることを目的とする。
【課題を解決するための手段】
【０００５】
上記の目的を達成するための手段として、請求項１の発明は、ベース部材と、前記ベース部材に対し異なる複数の形態での組み付けを可能とされた組付け部材とを備えてなる組立体であって、前記ベース部材と前記組付け部材のうち一方の部材に、前記ベース部材に対する前記組付け部材の複数の組付け形態と対応する複数の識別子を付し、前記ベース部材と前記組付け部材のうち他方の部材に、前記組付け部材が組み付けられた状態において、その組付け形態と対応する前記識別子のみを露出させ、且つ他の組付け形態と対応する前記識別子を覆い隠す選択的表示手段を設けた構成としたところに特徴を有する。
【０００６】
請求項２の発明は、請求項１に記載のものにおいて、前記選択的表示手段は、組付け状態において前記一方の部材を覆い隠す覆い部と、前記覆い部に設けられ、前記組付け部材が組付けられた状態において、その組付け形態と対応する前記識別子のみを外面側に露出させる窓孔とを備えて構成されているところに特徴を有する。
【発明の効果】
【０００７】
＜請求項１及び請求項２の発明＞
組付け形態に応じて、対応する識別子のみが表示されるので、製品を容易且つ確実に識別することができる。
【発明を実施するための最良の形態】
【０００８】
＜実施形態１＞
以下、本発明を具体化した実施形態１を図１乃至図９を参照して説明する。本実施形態の組立体は、１つのハウジング１０（本発明の構成要件であるベース部材）と、ハウジング１０に対して異なる２つの形態で組付け可能な１つのレバー２０（本発明の構成要件である組付け部材）とを備えて構成されるレバー式コネクタＸであって、レバー２０の操作により相手側コネクタＹに対して嵌合・離脱されるようになっている。
【０００９】
ハウジング１０は、左右方向に長いブロック状をなす端子保持部１１と、端子保持部１１を前後左右から包囲する方形の筒状嵌合部１２とを一体成形したものであって、端子保持部１１の上端外周縁と筒状嵌合部１２の上端部とが連なっている。端子保持部１１と筒状嵌合部１２との間の方形筒状の嵌合空間１３内には、相手側コネクタＹのフード部Ｙａが下から嵌入されるようになっている。筒状嵌合部１２の前後両壁部には、左右方向に貫通する縦長スリット状断面の取付け空間１４が形成されている。取付け空間１４は、その左右方向における中央位置において嵌合空間１３に連通しており、この連通部１５には相手側コネクタＹのカムピンＹｂが進入するようになっている。
【００１０】
筒状嵌合部１２の前後両壁部における取付け空間１４よりも外側の外壁部は、その全体が側面視方形をなす覆い部１６Ｆ，１６Ｒ（本発明の構成要件である選択的表示手段）となっている。また、この前後２つの覆い部１６Ｆ，１６Ｒのうち、前側の覆い部１６Ｆには、左右方向における中央位置を切欠することにより、横長方形に開口する窓孔１７（本発明の構成要件である選択的表示手段）が形成されている。この窓孔１７は、前側の覆い部１６Ｆのみに形成され、後側の覆い部１６Ｒには形成されていない。
【００１１】
レバー２０は、方形板状をなす前後２枚のスライダ２１ａ，２１ｂと、このスライダ２１ａ，２１ｂの左右方向における一方の端縁部（基端部）同士を連結する連結部２２とを一体成形したものである。スライダ２１ａ，２１ｂには、先端部（連結部２２とは反対側の端部）の下面から、左右方向中央位置に向かって斜めに延びるカム溝２３が形成されている。また、２枚のスライダ２１ａ，２１ｂの外面には、その左右方向における中央であってハウジング１０の窓孔１７と対応する高さとなる位置に、刻印２４ａ，２４ｂ（本発明の構成要件である識別子）が形成されている。刻印２４ａ，２４ｂは、レバー２０を金型成形するのに伴なって形成されるものであり、一方のスライダ２１ａに付される刻印２４ａ（本実施形態では「ＡＡＡＡＡ」）と他方のスライダ２１ｂに付される刻印２４ｂ（本実施形態では「ＢＢＢＢＢ」）とは、互いに異なる文字配列とされている。
【００１２】
かかるレバー２０は、ハウジング１０に対し左右対称な形態で組み付けることができる。即ち、図９に示すように、連結部２２が向かって右端に位置する向きにしてハウジング１０の右方から取付け空間１４にスライダ２１ａ，２１ｂを嵌入させる形態と、図１に示すように、連結部２２が向かって左端に位置する向きにしてハウジング１０の左方から取付け空間１４にスライダ２１ａ，２１ｂを嵌入させる形態での組付けが可能である。
【００１３】
いずれの組付け形態においても、まず、レバー２０は、スライダ２１ａ，２１ｂの先端部下面に開口するカム溝２３の入口を筒状嵌合部１２の連通部１５と対応させる初期位置（図２を参照）に仮保持される。そして、この初期位置において、相手側コネクタＹのフード部Ｙａを嵌合空間１３内に浅く嵌入させるとともに、フード部Ｙａの外面のカムピンＹｂを連通部１５とカム溝２３の入口とに進入させる。この状態から、連結部２２を掴んでレバー２０を先端側へ押すと、スライダ２１ａ，２１ｂが取付け空間１４内で左右方向（相手側コネクタＹとの嵌合方向と直角な方向）に平行移動し、このスライダ２１ａ，２１ｂの移動に伴なって、カム溝２３とカムピンＹｂとの係合によりフード部Ｙａが嵌合空間１３内に引き込まれ（引っ張り上げられ）る。そして、レバー２０が嵌合位置（図１及び図９を参照）に至ると、両コネクタＸ，Ｙの嵌合が完了する。
【００１４】
さて、両コネクタＸ，Ｙが嵌合した状態では、、レバー２０がいずれの組付け形態であるかを識別することができるようになっている。即ち、レバー２０をハウジング１０の右方から組み付けた場合には、前側の覆い部１６Ｆの窓孔１７において一方の（前側の位置する）スライダ２１ａの「ＡＡＡＡＡ」の刻印２４ａが外部からの目視可能に露出するのに対し、他方の（後側に位置するスライダ２１ｂ）及びそのスライダ２１ｂの「ＢＢＢＢＢ」の刻印２４ｂは後側の覆い部１６Ｒによって覆い隠されて目視することができない状態となる。これとは逆に、レバー２０をハウジング１０の左方から組み付けた場合には、前側の窓孔１７において「ＢＢＢＢＢ」の刻印２４ｂが外部からの目視可能に露出するのに対し、「ＡＡＡＡＡ」の刻印２４ａは後側の覆い部１６Ｒによって覆い隠されて目視することができない状態となる。
【００１５】
本実施形態のレバー式コネクタＸ（組立体）は、ハウジング１０に対しレバー２０を異なる２つの形態で組み付け可能としたものであって、レバー２０には、ハウジング１０に対するレバー２０の２つの組付け形態と対応する２つの刻印２４ａ，２４ｂを付し、ハウジング１０には、レバー２０が組み付けられた状態において、その組付け形態と対応する刻印２４ａ，２４ｂのみを露出させ、且つ他の組付け形態と対応する刻印２４ａ，２４ｂを覆い隠す選択的表示手段を設けており、この選択的表示手段は、レバー２０の組付け状態においてレバー２０のスライダ２１ａ，２１ｂを覆い隠す覆い部１６Ｆ，１６Ｒと、レバー２０が組付けられた状態においてその組付け形態と対応する刻印２４ａまたは２４ｂのみを外面側に露出させる窓孔１７とを備えて構成されている。かかる構成としたことにより、組付け形態に応じて、対応する刻印２４ａ，２４ｂのみが表示されるようにななるので、レバー２０を右側から組み付けたレバー式コネクタと、レバー２０を左側から組み付けたレバー式コネクタとを容易且つ確実に識別することができる。
【００１６】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態ではレバー式コネクタに適用した例について説明したが、本発明は、レバー式コネクタに限らず、ベース部材に対して複数の異なる形態で組付け部材を組み付けるようにした組立体にも適用できる。  
（２）上記実施形態ではハウジングに組み付けたレバーが直線的に平行移動するようにしたが、本発明は、ハウジングに組み付けたレバーが回動するタイプのレバー式コネクタにも適用できる。  
（３）上記実施形態では識別子として、合成樹脂製のベース部材に金型成形時に刻印するようにしたが、本発明によれば、識別子は、金型成形時に形成するものに限らず、成形後に、刻印、着色、シール等の貼着による形態でもよい。
【図面の簡単な説明】
【００１７】
【図１】実施形態１において相手側コネクタと嵌合した状態をあらわす正面図
【図２】相手側コネクタと嵌合する前の状態をあらわす正面図
【図３】相手側コネクタと嵌合した状態をあらわす一部切欠底面図
【図４】相手側コネクタとの嵌合した状態をあわす断面図
【図５】ハウジングの正面図
【図６】ハウジングの背面図
【図７】レバーの正面図
【図８】レバーの背面図
【図９】レバーを図１とは異なる形態で組み付けた状態をあらわす正面図
【符号の説明】
【００１８】
Ｘ…レバー式コネクタ（組立体）
１０…ハウジング（ベース部材）
１６Ｆ，１６Ｒ…覆い部（選択的表示手段）
１７…窓孔（選択的表示手段）
２０…レバー（組付け部材）
２４ａ，２４ｂ…刻印（識別子）
【図１】
2006302761.tif 000003
【図２】
2006302761.tif 000004
【図３】
2006302761.tif 000005
【図４】
2006302761.tif 000006
【図５】
2006302761.tif 000007
【図６】
2006302761.tif 000008
【図７】
2006302761.tif 000009
【図８】
2006302761.tif 000010
【図９】
2006302761.tif 000011